(57)【要約】【課題】複数のシステムの間で同期表示されるスライドショーの表示主体を好適に切り替える画像表示制御システムを提供する。【解決手段】通信回線１４を介して他の親機１６′との間で通話制御を行う通話制御手段５０と、その通話制御手段５０による他の親機１６′との間での通話制御に際して、その他の親機１６′に対応するブロック（家や店舗等における通信領域）との間で同期してスライドショーの表示制御を行う同期表示制御手段５２と、親機１６及び表示子機１８のうち最も通話子機２０の近くにある装置を判断する判断手段５４と、その判断手段５４により最も近くにあると判断された親機１６又は表示子機１８に備えられた表示装置４０にスライドショーを表示させるように表示主体を切り替える表示部切替手段５６とを、備えたものであることから、通話子機２０を携帯して移動する場合等において画像の見逃し等の不具合を好適に抑制することができる。【選択図】図２
2011071916.tif 000002
【特許請求の範囲】
【請求項１】
所定の画像情報に基づく画像を表示させる表示部を備えると共に所定の通信回線を介して他の機器との間で情報の通信を行う親機と、
所定の画像情報に基づく画像を表示させる表示部を備えると共に前記親機からの情報の受信が可能とされた単数乃至複数の表示子機と、
前記親機による前記他の機器との間の通信に際して、該親機との間で音声情報の送受信を行う通話部を備えた通話子機と
を、備え、
前記親機は、
前記通信回線を介して他の前記親機との間で音声情報の送受信を行う通話制御手段と、
該通話制御手段による前記他の親機との間での音声情報の送受信に際して、該他の親機に対応する画像表示制御システムとの間で同期して自機の表示部及び／又は前記表示子機の表示部に複数の画像を切替表示させるスライドショーの表示制御を行う同期表示制御手段と
を、備えたものであり、
前記通話子機と前記親機又は表示子機との間の相対距離に関して、前記親機及び単数乃至複数の前記表示子機のうち最も近くにある装置を判断する判断手段と、
該判断手段により前記通話子機の最も近くにあると判断された前記親機又は表示子機に備えられた前記表示部に、前記同期表示制御手段によるスライドショーを表示させるように表示主体を切り替える表示部切替手段と
を、備えたものであることを特徴とする画像表示制御システム。
【請求項２】
前記同期表示制御手段は、前記判断手段より前記相対距離が変化していると判断される場合には、前記スライドショーに係る複数の画像の切替タイミングを変更するものである請求項１に記載の画像表示制御システム。
【請求項３】
前記表示子機は、前記通話子機から送信される前記親機との間の音声情報の送受信に係る信号を受信する信号受信部を備え、
前記判断手段は、前記表示子機に備えられた信号受信部乃至親機により受信される、前記通話子機から送信される前記親機との間の音声情報の送受信に係る信号の強度に基づいて前記相対距離を判断するものである請求項１又は２に記載の画像表示制御システム。
【請求項４】
前記通話子機は、無線により情報の通信が可能な無線タグを備え、
前記親機及び表示子機は、該無線タグとの間で無線により情報の通信を行う無線タグ通信装置をそれぞれ備えたものであり、
前記判断手段は、該無線タグ通信装置による前記無線タグとの間の通信結果に基づいて前記相対距離を判断するものである請求項１又は２に記載の画像表示制御システム。
【請求項５】
前記判断手段より前記相対距離が変化していると判断され、前記同期表示制御手段により前記スライドショーに係る複数の画像の切替タイミングが変更される場合には、前記通話制御手段による音声情報の送受信に係る前記他の親機に対して該切替タイミングに係る制御信号を送信する制御信号送信手段を備えたものである請求項２に記載の画像表示制御システム。
【請求項６】
前記表示部切替手段は、前記親機及び単数乃至複数の表示子機すべての装置に対応して、前記親機との間の音声情報の送受信に係る信号乃至前記無線タグとの間の通信に係る信号が予め定められた所定値以下となった場合には、前記表示主体の切り替えを停止するものである請求項３又は４に記載の画像表示制御システム。
【請求項７】
前記判断手段は、前記親機に備えられたものである請求項１から６の何れか１項に記載の画像表示制御システム。
【請求項８】
請求項１から７の何れか１項に記載された画像表示制御システムにおける親機。
【請求項９】
請求項１から７の何れか１項に記載された画像表示制御システムにおける表示子機。
【請求項１０】
所定の画像情報に基づく画像を表示させる表示部を備えると共に所定の通信回線を介して他の機器との間で情報の通信を行う親機と、
所定の画像情報に基づく画像を表示させる表示部を備えると共に前記親機からの情報の受信が可能とされた単数乃至複数の表示子機と、
前記親機による前記他の機器との間の通信に際して、該親機との間で音声情報の送受信を行う通話部を備えた通話子機と
を、備えた画像表示制御システムにおける画像表示制御方法であって、
前記親機により、前記通信回線を介して他の前記親機との間で音声情報の送受信を行う通話制御過程と、
該通話制御過程における前記他の親機との間での音声情報の送受信に際して、該他の親機に対応する前記画像表示制御システムとの間で同期して自機の表示部及び／又は前記表示子機の表示部に複数の画像を切替表示させるスライドショーの表示制御を行う同期表示制御過程と、
前記通話子機と前記親機又は表示子機との間の相対距離に関して、前記親機及び単数乃至複数の前記表示子機のうち最も近くにある装置を判断する判断過程と、
該判断過程において前記通話子機の最も近くにあると判断された前記親機又は表示子機に備えられた前記表示部に、前記同期表示制御過程におけるスライドショーを表示させるように表示主体を切り替える表示部切替過程と
を、含むことを特徴とする画像表示制御方法。
【請求項１１】
所定の画像情報に基づく画像を表示させる表示部を備えると共に所定の通信回線を介して他の機器との間で情報の通信を行う親機と、
所定の画像情報に基づく画像を表示させる表示部を備えると共に前記親機からの情報の受信が可能とされた単数乃至複数の表示子機と、
前記親機による前記他の機器との間の通信に際して、該親機との間で音声情報の送受信を行う通話部を備えた通話子機と
を、備えた画像表示制御システムにおける前記親機に備えられた制御装置を、
前記通信回線を介して他の前記親機との間で音声情報の送受信を行う通話制御手段、
該通話制御手段による前記他の親機との間での音声情報の送受信に際して、該他の親機に対応する前記画像表示制御システムとの間で同期して自機の表示部及び／又は前記表示子機の表示部に複数の画像を切替表示させるスライドショーの表示制御を行う同期表示制御手段、
前記通話子機と前記親機又は表示子機との間の相対距離に関して、前記親機及び単数乃至複数の前記表示子機のうち最も近くにある装置を判断する判断手段、
及び該判断手段により前記通話子機の最も近くにあると判断された前記親機又は表示子機に備えられた前記表示部に、前記同期表示制御手段によるスライドショーを表示させるように表示主体を切り替える表示部切替手段
として機能させることを特徴とする画像表示制御プログラム。
【発明の詳細な説明】
【技術分野】
【０００１】
本発明は、所定の通信回線を介して他の機器との間で情報の通信を行う親機と、その親機との間で情報の通信が可能とされた複数種類の子機とを、備えた画像表示制御システムに関し、特に、その通信に係るスライドショーの表示主体を好適に切り替えるための改良に関する。
【背景技術】
【０００２】
所定の通信回線を介して他の機器との間で情報の通信を行う親機と、その親機との間で情報の通信が可能とされた複数種類の子機とを、備えた情報通信システムが知られている。斯かる情報通信システムの一態様として、親機と、所定の画像情報に基づく画像（映像）を表示させる表示部を備えると共に前記親機との間で情報の通信が可能とされた複数の表示子機とを、備え、それら複数の表示子機により選択的に画像を表示させる画像表示制御システムが知られている。例えば、特許文献１に記載された電子広告システムがそれである。
【先行技術文献】
【特許文献】
【０００３】
【特許文献１】特開２００９−１２８４９８号公報
【発明の概要】
【発明が解決しようとする課題】
【０００４】
ところで、所謂デジタルフォトフレーム等の画像表示装置においては、複数の画像情報を所定の時間間隔で断続的に切替表示させるスライドショー表示制御を実行し得るものが一般に知られている。本発明者は、前述したような複数の表示子機を備えた画像表示制御システムにおいて、斯かるスライドショーをそれら複数の表示子機に選択的に表示させるシステムを実現するため、鋭意研究を継続してきた。しかし、前述したような従来の技術では、特に利用者が通話手段で通話相手と通話しながら、所定の通信回線を介して複数の親機同士の間で同期的なスライドショー表示制御を行う場合において、各画像表示制御システムに係る通話利用者がそのスライドショーの同期再生中に表示装置から離れる等した場合、写真の見逃し等の不具合が発生するおそれがあった。すなわち、複数のシステムの間で同期表示されるスライドショーの表示主体を好適に切り替える技術の開発が求められていた。
【０００５】
本発明は、以上の事情を背景として為されたものであり、その目的とするところは、複数のシステムの間で同期表示されるスライドショーの表示主体を好適に切り替える画像表示制御システム、その画像表示制御システムの親機及び表示子機、画像表示制御方法、及び画像表示制御プログラムを提供することにある。
【課題を解決するための手段】
【０００６】
斯かる目的を達成するために、本第１発明の要旨とするところは、所定の画像情報に基づく画像を表示させる表示部を備えると共に所定の通信回線を介して他の機器との間で情報の通信を行う親機と、所定の画像情報に基づく画像を表示させる表示部を備えると共に前記親機からの情報の受信が可能とされた単数乃至複数の表示子機と、前記親機による前記他の機器との間の通信に際して、その親機との間で音声情報の送受信を行う通話部を備えた通話子機とを、備え、前記親機は、前記通信回線を介して他の前記親機との間で音声情報の送受信を行う通話制御手段と、その通話制御手段による前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御手段とを、備えたものであり、前記通話子機と前記親機又は表示子機との間の相対距離に関して、前記親機及び単数乃至複数の前記表示子機のうち最も近くにある装置を判断する判断手段と、その判断手段により前記通話子機の最も近くにあると判断された前記親機又は表示子機に備えられた前記表示部に、前記同期表示制御手段によるスライドショーを表示させるように表示主体を切り替える表示部切替手段とを、備えたことを特徴とする画像表示制御システムである。
【０００７】
また、前記目的を達成するために、本第２発明の要旨とするところは、前記第１発明の画像表示制御システムにおける親機である。
【０００８】
また、前記目的を達成するために、本第３発明の要旨とするところは、前記第１発明の画像表示制御システムにおける表示子機である。
【０００９】
また、前記目的を達成するために、本第４発明の要旨とするところは、所定の画像情報に基づく画像を表示させる表示部を備えると共に所定の通信回線を介して他の機器との間で情報の通信を行う親機と、所定の画像情報に基づく画像を表示させる表示部を備えると共に前記親機からの情報の受信が可能とされた単数乃至複数の表示子機と、前記親機による前記他の機器との間の通信に際して、その親機との間で音声情報の送受信を行う通話部を備えた通話子機とを、備えた画像表示制御システムにおける画像表示制御方法であって、前記親機により、前記通信回線を介して他の前記親機との間で音声情報の送受信を行う通話制御過程と、その通話制御過程における前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御過程と、前記通話子機と前記親機又は表示子機との間の相対距離に関して、前記親機及び単数乃至複数の前記表示子機のうち最も近くにある装置を判断する判断過程と、その判断過程において前記通話子機の最も近くにあると判断された前記親機又は表示子機に備えられた前記表示部に、前記同期表示制御過程におけるスライドショーを表示させるように表示主体を切り替える表示部切替過程とを、含むことを特徴とするものである。
【００１０】
また、前記目的を達成するために、本第５発明の要旨とするところは、所定の画像情報に基づく画像を表示させる表示部を備えると共に所定の通信回線を介して他の機器との間で情報の通信を行う親機と、所定の画像情報に基づく画像を表示させる表示部を備えると共に前記親機からの情報の受信が可能とされた単数乃至複数の表示子機と、前記親機による前記他の機器との間の通信に際して、その親機との間で音声情報の送受信を行う通話部を備えた通話子機とを、備えた画像表示制御システムにおける前記親機に備えられた制御装置を、前記通信回線を介して他の前記親機との間で音声情報の送受信を行う通話制御手段、その通話制御手段による前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御手段、前記通話子機との間の相対距離に関して、前記通話子機と前記親機又は表示子機との間の相対距離に関して、前記親機及び単数乃至複数の前記表示子機のうち最も近くにある装置を判断する判断手段、及びその判断手段により前記通話子機の最も近くにあると判断された前記親機又は表示子機に備えられた前記表示部に、前記同期表示制御手段によるスライドショーを表示させるように表示主体を切り替える表示部切替手段として機能させることを特徴とする画像表示制御プログラムである。
【発明の効果】
【００１１】
このように、前記第１発明によれば、所定の画像情報に基づく画像を表示させる表示部を備えると共に所定の通信回線を介して他の機器との間で情報の通信を行う親機と、所定の画像情報に基づく画像を表示させる表示部を備えると共に前記親機からの情報の受信が可能とされた単数乃至複数の表示子機と、前記親機による前記他の機器との間の通信に際して、その親機との間で音声情報の送受信を行う通話部を備えた通話子機とを、備え、前記親機は、前記通信回線を介して他の前記親機との間で音声情報の送受信を行う通話制御手段と、その通話制御手段による前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御手段とを、備えたものであり、前記通話子機と前記親機又は表示子機との間の相対距離に関して、前記親機及び単数乃至複数の前記表示子機のうち最も近くにある装置を判断する判断手段と、その判断手段により前記通話子機の最も近くにあると判断された前記親機又は表示子機に備えられた前記表示部に、前記同期表示制御手段によるスライドショーを表示させるように表示主体を切り替える表示部切替手段とを、備えた画像表示制御システムであることから、通話利用者が通話子機を携帯して通話中に移動する場合等において、最寄りの親機乃至表示子機に備えられた表示部にスライドショーを表示できるため、通話相手と同期表示していたスライドショーに係る画像の見逃し等の不具合を好適に抑制することができる。すなわち、利用者が通話中に、複数のシステムの間で同期表示されるスライドショーの表示主体を通話利用者の位置に基づいて好適に切り替える画像表示制御システムを提供することができる。
【００１２】
ここで、前記第１発明において、好適には、前記同期表示制御手段は、前記判断手段より前記相対距離が変化していると判断される場合には、前記スライドショーに係る複数の画像の切替タイミングを変更するものである。このようにすれば、閲覧者が通話子機を携帯して移動する場合等において、親機乃至表示子機に備えられた表示部に表示されるスライドショーの切替タイミングを遅らせる等の制御を行うことで、更に好適にそのスライドショーに係る画像の見逃し等の不具合を抑制することができる。
【００１３】
また、好適には、前記表示子機は、前記通話子機から送信される前記親機との間の音声情報の送受信に係る信号を受信する信号受信部を備え、前記判断手段は、前記表示子機に備えられた信号受信部乃至親機により受信される、前記通話子機から送信される前記親機との間の音声情報の送受信に係る信号の強度に基づいて前記相対距離を判断するものである。このようにすれば、閲覧者が携帯する通話子機と、親機乃至表示子機との相対距離を実用的な態様で判断することができる。
【００１４】
また、好適には、前記通話子機は、無線により情報の通信が可能な無線タグを備え、前記親機及び表示子機は、その無線タグとの間で無線により情報の通信を行う無線タグ通信装置をそれぞれ備えたものであり、前記判断手段は、その無線タグ通信装置による前記無線タグとの間の通信結果に基づいて前記相対距離を判断するものである。このようにすれば、閲覧者が携帯する通話子機と、親機乃至表示子機との相対距離を実用的な態様で判断することができる。
【００１５】
また、好適には、前記判断手段より前記相対距離が変化していると判断され、前記同期表示制御手段により前記スライドショーに係る複数の画像の切替タイミングが変更される場合には、前記通話制御手段による音声情報の送受信に係る前記他の親機に対してその切替タイミングに係る制御信号を送信する制御信号送信手段を備えたものである。このようにすれば、通話子機を携帯する閲覧者の移動等に応じて親機乃至表示子機に備えられた表示部に表示されるスライドショーの切替タイミングを遅らせる等の制御が行われた場合において、その画像表示制御システムと同期的にそのスライドショーを表示させている他の画像表示制御システムにおいて、その切替タイミングの変更を反映させることができる。
【００１６】
また、好適には、前記表示部切替手段は、前記親機及び単数乃至複数の表示子機すべての装置に対応して、前記親機との間の音声情報の送受信に係る信号乃至前記無線タグとの間の通信に係る信号が予め定められた所定値以下となった場合には、前記表示主体の切り替えを停止するものである。このようにすれば、通話子機を携帯する閲覧者が何れの表示部におけるスライドショーも閲覧できない程度に離れた場合において、無駄な表示主体の切り替え制御が行われることを好適に抑制することができる。
【００１７】
また、好適には、前記判断手段は、前記親機に備えられたものである。このようにすれば、実用的な態様の画像表示制御システムを構成することができる。
【００１８】
また、前記第２発明によれば、前記第１発明の画像表示制御システムにおける親機であることから、その表示子機とのコンビネーションにより構成される前記第１発明の画像表示制御システムにより、閲覧者が通話子機を携帯して移動する場合等において、最寄りの親機乃至表示子機に備えられた表示部にスライドショーを表示できるため、そのスライドショーに係る画像の見逃し等の不具合を好適に抑制することができる。すなわち、複数のシステムの間で同期表示されるスライドショーの表示主体を好適に切り替える画像表示制御システムを提供することができる。
【００１９】
また、前記第３発明によれば、前記第１発明の画像表示制御システムにおける表示子機であることから、その親機とのコンビネーションにより構成される前記第１発明の画像表示制御システムにより、閲覧者が通話子機を携帯して移動する場合等において、最寄りの親機乃至表示子機に備えられた表示部にスライドショーを表示できるため、そのスライドショーに係る画像の見逃し等の不具合を好適に抑制することができる。すなわち、複数のシステムの間で同期表示されるスライドショーの表示主体を好適に切り替える画像表示制御システムを提供することができる。
【００２０】
また、前記第４発明によれば、前記親機により、前記通信回線を介して他の前記親機との間で音声情報の送受信を行う通話制御過程と、その通話制御過程における前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御過程と、前記通話子機と前記親機又は表示子機との間の相対距離に関して、前記親機及び単数乃至複数の前記表示子機のうち最も近くにある装置を判断する判断過程と、その判断過程において前記通話子機の最も近くにあると判断された前記親機又は表示子機に備えられた前記表示部に、前記同期表示制御過程におけるスライドショーを表示させるように表示主体を切り替える表示部切替過程とを、含むことから、通話利用者が通話子機を携帯して通話中に移動する場合等において、最寄りの親機乃至表示子機に備えられた表示部にスライドショーを表示できるため、通話相手と同期表示していたスライドショーに係る画像の見逃し等の不具合を好適に抑制することができる。すなわち、利用者が通話中に、複数のシステムの間で同期表示されるスライドショーの表示主体を通話利用者の位置に基づいて好適に切り替える画像表示制御方法を提供することができる。
【００２１】
また、前記第５発明によれば、前記画像表示制御システムにおける親機に備えられた制御装置を、前記通信回線を介して他の前記親機との間で音声情報の送受信を行う通話制御手段、その通話制御手段による前記他の親機との間での音声情報の送受信に際して、その他の親機に対応する前記画像表示制御システムとの間で同期して自機の表示部及び／又は前記表示子機の表示部に複数の画像を切替表示させるスライドショーの表示制御を行う同期表示制御手段、前記通話子機と前記親機又は表示子機との間の相対距離に関して、前記親機及び単数乃至複数の前記表示子機のうち最も近くにある装置を判断する判断手段、及びその判断手段により前記通話子機の最も近くにあると判断された前記親機又は表示子機に備えられた前記表示部に、前記同期表示制御手段によるスライドショーを表示させるように表示主体を切り替える表示部切替手段として機能させることを特徴とする画像表示制御プログラムであることから、通話利用者が通話子機を携帯して通話中に移動する場合等において、最寄りの親機乃至表示子機に備えられた表示部にスライドショーを表示できるため、通話相手と同期表示していたスライドショーに係る画像の見逃し等の不具合を好適に抑制することができる。すなわち、利用者が通話中に、複数のシステムの間で同期表示されるスライドショーの表示主体を通話利用者の位置に基づいて好適に切り替える画像表示制御プログラムを提供することができる。
【図面の簡単な説明】
【００２２】
【図１】本発明の一実施例である画像表示制御システムの構成を例示する図である。
【図２】図１の画像表示制御システムに備えられた親機の構成の一例を説明するブロック線図である。
【図３】図１の画像表示制御システムに備えられた表示子機の構成の一例を説明するブロック線図である。
【図４】図１の画像表示制御システムに備えられた通話子機の構成の一例を説明するブロック線図である。
【図５】図２の親機、図３の表示子機、及び図４の通話子機のＲＡＭに備えられたスライドショーデータベースの内容を例示する図である。
【図６】図２の親機のＲＡＭに形成されるデータ転送履歴の内容を例示する図である。
【図７】図１の画像表示制御システムにおける表示主体切替に係る判断制御について説明する図であり、図４の通話子機から図２の親機及び図３の表示子機へ電波が送信される様子を示す図である。
【図８】図１の画像表示制御システムにおける表示主体切替に係る判断制御について説明する図であり、図３の表示子機から図２の親機へ各表示子機により受信された電波の信号強度が送信される様子を示す図である。
【図９】図１の画像表示制御システムにおける表示主体切替について説明する図であり、図４の通話子機に最も近いと判定された図３の表示子機へスライドショーを表示させるための情報が送信される様子を示す図である。
【図１０】図１の画像表示制御システムにおける所定のブロックから他のブロックへスライドショー表示制御に係る制御信号が送信される様子を説明する図である。
【図１１】図２の親機の制御部によるその親機のメイン制御の要部を説明するフローチャートである。
【図１２】図１１の制御における電波強度取得＆データ転送処理の要部を説明するフローチャートである。
【図１３】図３の表示子機の制御部によるその表示子機のメイン制御の要部を説明するフローチャートである。
【発明を実施するための形態】
【００２３】
以下、本発明の好適な実施例を図面に基づいて詳細に説明する。
【実施例】
【００２４】
図１は、本発明の一実施例である画像表示制御システム１０の構成を例示する図である。この図１に示すように、本実施例の画像表示制御システム１０は、制御単位としての家、オフィス、或いは店舗等における情報通信領域であるブロック１２内に、所定の画像情報に基づく画像を表示させる表示部を備えると共に所定の通信回線１４を介して他の機器との間で情報の通信を行う親機１６と、所定の画像情報に基づく画像を表示させる表示部を備えると共に上記親機１６からの情報の受信が可能とされた単数乃至複数（図１では２台）の表示子機１８ａ、１８ｂ（以下、特に区別しない場合には単に表示子機１８という）と、上記親機１６による前記他の機器との間の通信に際して、その親機１６との間で音声情報の送受信を行う通話部を備えた通話子機２０とを、備えて構成されている。また、上記ブロック１２内においては、上記親機１６と表示子機１８とが有線又は無線による通信網であるＬＡＮ（Local Area Network）２２等により接続可能とされている。また、上記親機１６と通話子機２０とがＤＥＣＴ（Digital Enhanced Cordless Telecommunications：デジタルコードレス電話システム）通信網２４等により、その通話子機２０を所謂コードレス電話として上記親機１６に接続可能とされている。
【００２５】
上記通信回線１４は、例えば、電話やファクシミリ装置による情報通信に用いられる広域的な公衆電話回線であり、本実施例の画像表示制御システム１０における親機１６は、その通信回線１４を介して他の親機１６′をはじめとする機器との間で情報の通信が可能とされている。この他の親機１６′は、後述する図２に示す構成を備えた本実施例の親機であって上記親機１６とは別の機体であり、前記画像表示制御システム１０における図示しない他のブロック（他の家、オフィス、或いは店舗等における情報通信領域）に対応して設けられたものである。換言すれば、本実施例の画像表示制御システム１０では、上記親機１６、表示子機１８、及び通話子機２０を備えたブロック１２相互間で上記通信回線１４を介して情報の通信が行われ、それらブロック１２それぞれにおいて後述する画像表示制御（スライドショー表示制御）が実行されるようになっている。
【００２６】
図２は、前記親機１６の構成の一例を説明するブロック線図である。この図２に示すように、前記親機１６は、所定の画像（映像）を表示させると共に、利用者の接触操作に応じて入力を行うためのタッチパネルディスプレイ２６と、前記親機１６による画像表示制御をはじめとする各種制御を実行する制御部２８と、読出専用メモリであるＲＯＭ３０と、随時書込読出メモリであるＲＡＭ３２と、前記ＬＡＮ２２を介して前記表示子機１８との間で情報の通信を行うための第１通信部３４と、前記ＤＥＣＴ通信網２４を介して前記通話子機２０との間で情報の通信を行うと共に前記通信回線１４を介して他の親機１６′との間で電話通信（通話）を行うための第２通信部３６と、前記通話子機２０と自機（親機１６）又は表示子機１８との間の相対距離を比較する距離比較部３８とを、備えて構成されている。
【００２７】
図２に示すように、上記タッチパネルディスプレイ２６は、そのタッチパネルディスプレイ２６に所定の映像を表示させる表示部としての表示装置４０と、利用者の指や図示しない備え付けのペン等による上記タッチパネルディスプレイ２６への接触により入力を行うタッチパネル４２とを、備えて構成されている。また、上記表示装置４０による画像（映像）の表示制御を行う表示制御部４４と、上記タッチパネル４２により入力される入力情報を処理する入力制御部４６とが備えられており、それら表示制御部４４及び入力制御部４６により上記表示装置４０及びタッチパネル４２を介して上記タッチパネルディスプレイ２６による画像表示制御乃至情報入力制御が実行される。
【００２８】
前記制御部２８は、前記ＲＡＭ３２の一時記憶機能を利用しつつ前記ＲＯＭ３０に記憶された情報に基づいて中央演算処理装置であるＣＰＵにより種々の情報処理を実行する所謂マイクロコンピュータであり、上記表示制御部４４を介して前記タッチパネルディスプレイ２６（表示装置４０）に所定の画像を表示させる画像表示制御、そのタッチパネルディスプレイ２６（タッチパネル４２）への接触操作に応じて上記入力制御部４６を介して入力される入力信号を処理する入力処理制御、前記第１通信部３４乃至ＬＡＮ２２を介しての前記表示子機１８との間の通信制御、前記第２通信部３６乃至ＤＥＣＴ通信網２４を介しての前記通話子機２０との間の通信制御、及び前記第２通信部３６乃至通信回線１４を介しての前記他の親機１６′との間の電話通信（通話）制御等、本実施例の画像表示制御システム１０に関する各種制御を実行する。また、斯かる制御を行うために、通話制御部５０、同期表示制御手段５２、判断手段５４、表示部切替手段５６、及び制御信号送信手段５８等の制御機能を備えている。これらの制御機能については、図７乃至図１０等を用いて後述する。
【００２９】
前記ＲＡＭ３２には、前記表示制御部４４を介して前記タッチパネルディスプレイ２６（表示装置４０）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置４０は、静止画像のみならず動画を表示させるものであってもよく、前記ＲＡＭ３２に記憶される画像情報は、静止画に対応するものであると動画に対応するものであるとを問わない。また、前記ＲＡＭ３２には、図５等を用いて後述するスライドショーデータベース４８をはじめとする各種データベースが設けられている。
【００３０】
前記第１通信部３４は、前記親機１６を無線により或いは有線接続にて前記ＬＡＮ２２に接続するＬＡＮインターフェイスである。前記親機１６は、この第１通信部３４により前記ＬＡＮ２２に接続されることで、そのＬＡＮ２２を介して前記表示子機２２等との間で情報の通信が可能とされる。また、前記第２通信部３６は、前記親機１６を無線により前記ＤＥＣＴ通信網２４に接続するインターフェイスである。前記親機１６は、この第２通信部３６により前記ＤＥＣＴ通信網２４に接続されることで、そのＤＥＣＴ通信網２４を介して前記通話子機２０等との間で情報の通信が可能とされる。また、前述のように、前記第２通信部３６は、前記通信回線１４を介しての電話通信（音声情報による通話）システムに係るデジタルコードレス電話システムに前記親機１６を接続するものであり、電話通信に係る音声情報を入力するためのマイクロフォン及び音声情報を出力するためのスピーカを内蔵している。前記親機１６は、この第２通信部３６により前記通信回線１４を介して前記他の親機１６′等との機器の間で電話通信（音声情報による通話）を行う。更に、前記親機１６と通話子機２０との間が前記ＤＥＣＴ通信網２４により接続されることで、その通話子機２０と前記他の親機１６′等との間で前記通信回線１４を介しての電話通信（音声情報による通話）が可能とされる。なお、本実施例においては、前記第２通話部３６がマイクロフォン及びスピーカ等の構成を内蔵するものとして説明しているが、それらマイクロフォン及びスピーカ等の構成と電話通信を行うためのインターフェイスとがそれぞれ個別に備えられたものであってもよい。また、専ら前記通話子機２０において通話を行う態様においては、前記親機１６にはマイクロフォン及びスピーカ等の構成が備えられなくともよい。
【００３１】
前記距離比較部３８は、後述する判断手段５４による制御のために、前記通話子機２０と、自機（親機１６）及び表示子機１８との間の相対距離に係る情報を取得し、その情報に基づいて前記通話子機２０と自機（親機１６）との相対距離と、その通話子機２０と前記単数乃至複数の表示子機１８との相対距離とを、比較する。すなわち、図１に示す画像表示制御システム１０においては、前記親機１６と通話子機２０との相対距離、前記表示子機１８ａと通話子機２０との相対距離、及び前記表示子機１８ｂと通話子機２０との相対距離を相互に比較する。前記距離比較部３８は、例えば、前記通話子機２０の第２通信部３６から送信される前記親機１６との間の音声情報の送受信に係る信号（電波）、すなわち前記ＤＥＣＴ通信網２４に係るＤＥＣＴ信号の強度に基づいて斯かる相対距離の比較を実行する。或いは、前記通話子機２０と一体的に備えられた無線タグ６６（図４を参照）に対して所定の送信信号（質問波）を送信すると共に、その送信信号に対してその無線タグ６６から返信される返信信号（応答波）の受信を行う、よく知られた無線タグ通信装置（ＲＦＩＤリーダ）を備えたものであり、その無線タグ通信装置による上記無線タグ６６との通信結果に基づいて上記相対距離の比較を実行する。斯かる比較を行うための構成として、前記距離比較部３８には、自機すなわち前記親機１６に関して、前記第２通信部３６により受信される前記通話子機２０からのＤＥＣＴ信号の信号強度を検出する構成、或いは上記無線タグ通信装置により受信される前記無線タグ６６からの返信信号の信号強度を検出する構成が備えられたものである。なお、前記距離比較部３８は、必ずしも前記通話子機２０と自機（親機１６）又は表示子機１８との間の相対距離の比較までも行うものでなくとも構わず、その相対距離に関する情報を後述する判断手段５４に供給するだけのものであってもよい。すなわち、それらの情報に係る相対距離の比較は前記判断手段５４により行うものであってもよい。
【００３２】
図３は、前記表示子機１８の構成の一例を説明するブロック線図である。なお、この表示子機１８に備えられた構成において、図２を用いて前述した前記親機１６における構成と同様の機能を有する部分（必ずしも同一のものでなくともよい）については、共通の符号を付してその説明を省略する。図３に示すように、前記表示子機１８は、前記ＲＡＭ３２の一時記憶機能を利用しつつ前記ＲＯＭ３０に記憶された情報に基づいて中央演算処理装置であるＣＰＵにより種々の情報処理を実行する所謂マイクロコンピュータである制御部６０を備えており、この制御部６０により前記タッチパネルディスプレイ２６による画像表示制御乃至情報入力制御や、前記第１通信部３４を介しての前記親機１６との間の通信制御等の各種制御を実行する。また、前記通話子機２０と自機（表示子機１８）との間の相対距離に係る情報を検出するための電波強度検出部６２を備えている。
【００３３】
上記電波強度検出部６２は、前記通話子機２０から送信される所定の無線信号（電波）の受信を行うことにより、その通話子機２０と自機（表示子機１８）との間の相対距離に係る情報を検出するものであり、好適には、前記通話子機２０から送信される前記親機１６との間の音声情報の送受信に係る信号すなわち前記ＤＥＣＴ通信網２４に係るＤＥＣＴ信号を受信する信号受信部を備えている。そして、その信号受信部により受信される前記通話子機２０の第２通信部３６からのＤＥＣＴ信号の強度を検出する。また、好適には、前記通話子機２０と一体的に備えられた無線タグ６６（図４を参照）との間で無線により情報の通信を行う無線タグ通信装置（ＲＦＩＤリーダ）を備えたものであり、その無線タグ通信装置により上記無線タグ６６に対して所定の送信信号（質問波）を送信すると共に、その送信信号に対してその無線タグ６６から返信される返信信号（応答波）の受信を行い、その通信に係る信号強度すなわち上記無線タグ６６からの返信信号の信号強度を検出する。なお、この電波強度検出部６２は、前記親機１６に備えられた距離比較部３８に対応するものであり、その距離比較部３８において前記ＤＥＣＴ信号の強度に基づき前記相対距離の比較を行う態様においては上記電波強度検出部６２に上記信号受信部が備えられ、その信号受信部により前記ＤＥＣＴ信号の受信乃至信号強度の検出が行われる一方、前記距離比較部３８において前記無線タグ通信結果に基づき前記相対距離の比較を行う態様においては上記電波強度検出部６２に上記無線タグ通信装置が備えられ、その無線タグ通信装置による前記無線タグ６６との間の通信結果に相当する信号強度の検出が行われる。そして、そのようにして上記電波強度検出部６２により検出された前記通話子機２０と表示子機１８との間の相対距離に係る情報（電波強度）は、前記ＬＡＮ２２等を介して前記親機１６へ送信され、その親機１６の距離比較部３８による前記相対距離比較に用いられる。
【００３４】
図４は、前記通話子機２０の構成の一例を説明するブロック線図である。なお、この通話子機２０に備えられた構成において、図２を用いて前述した前記親機１６における構成と同様の機能を有する部分（必ずしも同一のものでなくともよい）については、共通の符号を付してその説明を省略する。この通話子機２０は、前記画像表示制御システム１０の所定ブロック１２における前記親機１６の電話通信におけるコードレス電話（電話子機）として用いられるものであり、図４に示すように、前記ＲＡＭ３２の一時記憶機能を利用しつつ前記ＲＯＭ３０に記憶された情報に基づいて中央演算処理装置であるＣＰＵにより種々の情報処理を実行する所謂マイクロコンピュータである制御部６４を備えている。前記通話子機２０は、この制御部６４により前記タッチパネルディスプレイ２６による画像表示制御乃至情報入力制御や、前記第２通信部３６を介しての前記親機１６との間の通信制御乃至その親機１６による通話制御に係る前記他の親機１６′との間の通話制御等の各種制御を実行する。すなわち、本実施例においては、前記第２通信部３６が前記親機１６との間で音声情報の送受信を行う通話部に対応する。また、前記距離比較部３８及び電波強度検出部６２に備えられた無線タグ通信装置との間で無線により情報の通信が可能な、ＩＣチップ及びアンテナから成るよく知られた無線タグ（ＲＦＩＤタグ）６６を一体的に備えている。なお、この無線タグ６６は、前記距離比較部３８及び電波強度検出部６２においてＤＥＣＴ信号に基づく信号強度の検出乃至相対距離の比較が行われる態様においては必ずしも設けられなくともよい。また、前記通話子機２０には必ずしも前記タッチパネルディスプレイ２６特に表示装置４０は設けられなくともよく、電話番号等の入力を行うための簡易な操作部のみが備えられたものであってもよい。
【００３５】
図５は、前記親機１６、表示子機１８、及び通話子機２０のＲＡＭ３２に備えられたスライドショーデータベース４８の内容を例示する図である。前記親機１６の制御部２８に備えられた同期表示制御手段５２は、後述するようにその親機１６に備えられたタッチパネルディスプレイ２６（表示装置４０）等により複数の画像を切替表示させるスライドショーの表示制御を行うものであり、前記スライドショーデータベース４８は、そのスライドショーの表示制御を行うための情報を記憶するものである。すなわち、図５に示すように、前記スライドショーにおいて切替表示されるべき複数の画像に対応する画像情報及びその表示順が各スライドショー毎に（登録された複数のスライドショーそれぞれについて）記憶されている。なお、本実施例においては、図２乃至図４に示すように、前記親機１６、表示子機１８、及び通話子機２０それぞれのＲＡＭ３２に図５に示すようなスライドショーデータベース４８が備えられた例を説明するが、好適には、前記親機１６のＲＡＭ３２におけるスライドショーデータベース４８に記憶された情報が必要に応じて前記表示子機１８乃至通話子機２０に送信されるものである。例えば、前記親機１６により新たなスライドショーに対応する情報が前記スライドショーデータベース４８に記憶（登録）された場合、その情報が前記ＬＡＮ２２乃至ＤＥＣＴ通信網２４を介して前記表示子機１８乃至通話子機２０へ送信される。また、斯かる通信が行われた場合には、前記親機１６のＲＡＭ３２に形成された図６に示すようなデータ転送履歴６８にその通信に係る情報（通信履歴）が記憶される。
【００３６】
図２に戻って、前記親機１６の制御部２８に備えられた通話制御手段５０は、前記通信回線１４を介して前記他の親機１６′との間で音声情報の送受信を行う。すなわち、前記第２通信部３６による前記通信回線１４を介しての電話通信（通話）制御を実行する。具体的には、前記親機１６又は通話子機２０における操作部としてのタッチパネル４２により所定の通信相手に対応する電話番号が入力された場合、前記通信回線１４に接続された交換機等を介してその電話番号に対応する機器例えば前記他の親機１６′との間で電話通信（通話）を成立させる。或いは、所定の電話番号に対応する他の親機１６′から前記通信回線１４を介しての電話着信があった場合、前記タッチパネル４２等の操作に応じてその他の親機１６′との間で電話通信を成立させる。そして、前記親機１６又は通話子機２０における前記第２通信部３６から入力される音声情報を、前記通信回線１４を介して通話相手である前記他の親機１６′へ送信すると共に、その他の親機１６′から前記通信回線１４を介して送られてくる（受信される）音声情報を、前記親機１６又は通話子機２０における前記第２通信部３６から出力させる。なお、本実施例の画像表示制御システム１０に備えられた親機１６乃至通話子機２０は、好適には、前記第２通信部３６により前記他の親機１６′との間の電話通信のみならず一般的な電話機等との電話通信も行い得るものである。
【００３７】
前記同期表示制御手段５２は、前記通話制御手段５０による前記他の親機１６′との間での音声情報の送受信に際して、その他の親機１６′に対応する画像表示制御システム１０との間で同期して自機の表示装置４０及び／又は前記表示子機１８の表示装置４０に複数の画像を切替表示させるスライドショーの表示制御を行う。すなわち、通話相手である前記他の親機１６′と同期して、前述した図５に示すようなスライドショーデータベース４８に記憶（登録）された各スライドショーに係る情報を読み出し、そのスライドショーにおいて切替表示されるべきとして記憶された複数の画像情報に対応する画像を、定められた表示順に所定の時間間隔で前記タッチパネルディスプレイ２６（表示装置４０）に順次切替表示させる。この同期表示制御は、好適には、各親機１６、１６′に機能的に備えられたデータ同期タイマによるカウントに基づいて実行される。すなわち、各親機１６、１６′それぞれにおいて斯かるデータ同期タイマによるカウントに従って対象となるスライドショーの表示制御が行われると共に、それら親機１６、１６′相互間で上記データ同期タイマのカウントが同一のものとされる（通信回線１４による通信を介して常に同じ値とされる）ことで、各親機１６、１６′相互間でスライドショーの同期表示制御が実現される。斯かる制御により、自機に対応するブロック１２における親機１６乃至表示子機１８の表示装置４０と、前記他の親機１６′に対応するブロックにおける親機乃至表示子機の表示装置とに、同様のスライドショーが略同時に（同時進行で）表示される。なお、本実施例において、この同期表示制御手段５２により表示されるスライドショーの表示主体すなわちそのスライドショーが表示される表示装置４０に対応する装置は、後述する表示部切替手段５６により切り替えられるものであるが、その切替制御が行われない場合においては、前記親機１６及び単数乃至複数の表示子機１８すべての表示装置４０に上記スライドショーが表示される等の制御が行われるものであってもよい。
【００３８】
前記判断手段５４は、前記距離比較部３８から供給される情報に基づいて、前記通話子機２０と前記親機１６又は表示子機１８との間の相対距離に関して、前記親機１６及び単数乃至複数の前記表示子機１８のうち最も近くにある装置を判断する。すなわち、前記距離比較部３８及び電波強度検出部６２共にＤＥＣＴ信号の強度を取得する態様においては、その距離比較部３８による前記親機１６乃至表示子機１８に対応するＤＥＣＴ信号の強度比較結果に基づいて、前記親機１６及び単数乃至複数の前記表示子機１８のうち前記通話子機２０の最も近くにある装置を判断する。また、前記距離比較部３８及び電波強度検出部６２共に前記無線タグ６６からの返信信号の強度を取得する態様においては、その距離比較部３８による前記親機１６乃至表示子機１８に対応する前記無線タグ６６からの返信信号の強度比較結果に基づいて、前記親機１６及び単数乃至複数の前記表示子機１８のうち前記通話子機２０の最も近くにある装置を判断する。また、前記判断手段５４は、好適には、予め定められた所定時間毎に斯かる判断を繰り返し実行する。
【００３９】
図７及び図８は、前記判断手段５４による判断制御について説明する図である。図７に示す白抜き矢印は、前記通話子機２０から送信されるＤＥＣＴ信号又は前記無線タグ通信装置から送信される送信信号（質問波）に応じて前記通話子機２０に備えられた無線タグ６６から返信される返信信号（応答波）を示しており、それらＤＥＣＴ信号乃至無線タグ６６からの返信信号は、前記親機１６における距離比較部３８及び前記表示子機１８における電波強度検出部６２によりそれぞれ受信され、その信号強度が検出される。そして、図８に白抜き矢印で示すように、前記表示子機１８それぞれにおいて検出された前記通話子機２０からのＤＥＣＴ信号又は無線タグ６６からの返信信号の強度が、前記ＬＡＮ２２を介して前記親機１６の距離比較部３８に供給され、その距離比較部３８において前記通話子機２０と前記親機１６又は表示子機２０との間の相対距離が比較される。更に、その比較結果に基づいて、前記判断手段５４により前記親機１６及び単数乃至複数の前記表示子機１８のうち前記通話子機２０の最も近くにある装置が判断される。
【００４０】
前記表示部切替手段５６は、前記判断手段５４により前記通話子機２０の最も近くにあると判断された前記親機１６又は表示子機１８に備えられた前記表示装置４０に、前記同期表示制御手段５２によるスライドショーを表示させるように表示主体を切り替える。換言すれば、前記判断手段５４により前記親機１６及び単数乃至複数の前記表示子機１８のうち前記通話子機２０の最も近くにあると判断された装置における前記表示装置４０に対して、前記同期表示制御手段５２によるスライドショーを表示させるための情報を送信する。例えば、図９に示す例では、前記表示子機１８ｂが前記通話子機２０の最も近くにある装置と判定され、白抜き矢印で示すように、前記同期表示制御手段５２によるスライドショーを表示させるための情報が前記ＬＡＮ２２を介してその表示子機１８ｂへ送信されている。また、前記表示部切替手段５６は、好適には、前記通話子機２０が前記親機１６及び表示子機１８のすべてから十分に離れること等により、前記親機１６及び単数乃至複数の表示子機１８すべての装置に対応して、前記ＤＥＣＴ信号乃至前記無線タグ６６からの返信信号が予め定められた所定値以下となった場合には、前記表示主体の切り替えを停止する。
【００４１】
ここで、前記同期表示制御手段５２は、好適には、前記判断手段５４より前記相対距離が経時的に変化していると判断される場合には、前記スライドショーに係る複数の画像の切替タイミングを変更する。すなわち、前記親機１６又は表示子機１８に対して前記通話子機２０（その通話子機２０を携帯する利用者）が移動していること、好適にはその相対移動速度が予め定められた所定速度以上であることが、前記距離比較部３８による比較結果（親機２０及び各表示子機１８に対応する信号強度の変化）に基づいて判定される場合には、前記親機２０又は何れかの表示子機１８における表示装置４０に表示されている、前記スライドショーに係る複数の画像の切替タイミングを変更する。好適には、前記判断手段５４により前記相対距離の変化が検出されなくなるまで、前記スライドショーに係る複数の画像の切替タイミングを予め定められたタイミングより遅延させる。
【００４２】
前記制御信号送信手段５８は、前記判断手段５４より前記相対距離が変化していると判断され、前記同期表示制御手段５２により前記スライドショーに係る複数の画像の切替タイミングが変更される場合には、前記通話制御手段５０による音声情報の送受信に係る前記他の親機１６′に対してその切替タイミングに係る制御信号を送信する。また、前記制御信号送信手段５８は、好適には、前記親機１６及び単数乃至複数の表示子機１８すべての装置に対応して、前記ＤＥＣＴ信号乃至前記無線タグ６６からの返信信号が予め定められた所定値以下となり、前記表示部切替手段５６による前記表示主体の切り替えが停止された場合には、前記通話制御手段５０による音声情報の送受信に係る前記他の親機１６′に対してその表示切替の停止に係る制御信号を送信する。また、前記同期表示制御手段５２は、前記制御信号送信手段５８による制御信号が他の親機１６′から受信された場合には、その制御信号に従って前記スライドショーに係る複数の画像の切替タイミングを制御（変更）する。例えば、前記他の親機１６′における制御信号送信手段５８から、前記スライドショーに係る複数の画像の切替タイミングの変更を示す制御信号が受信された場合には、その制御信号に従って前記同期表示制御手段５２により前記スライドショーに係る複数の画像の切替タイミングを変更する。また、前記他の親機１６′における制御信号送信手段５８から、前記スライドショーの表示主体である表示装置４０の切替制御の停止を示す制御信号が受信された場合には、前記同期表示制御手段５２により前記スライドショーに係る複数の画像の切替を停止する等の制御を行う。
【００４３】
図１０は、前記制御信号送信手段５８による制御信号の送信について説明する図であり、前記親機１６から他の親機１６′へ斯かる制御信号が送信される様子を白抜き矢印で示している。この図１０に示すように、前記通話制御手段５０により前記通信回線１４を介して所定のブロックに係る他の親機１６′との間で通話が行われつつ、その他の親機１６′との間での前記同期表示制御手段５２によるスライドショーの同期表示制御が行われている場合において、その同期表示制御手段５２により前記スライドショーに係る複数の画像の切替タイミングが変更された場合には、その切替タイミングに係る制御信号（変更後の切替タイミングを示す情報）が前記通信回線１４を介して通話相手である前記他の親機１６′へ送信される。また、前記ＤＥＣＴ信号乃至前記無線タグ６６からの返信信号が予め定められた所定値以下となり、前記表示部切替手段５６による前記表示主体の切り替えが停止された場合にも、その表示切替の停止に係る制御信号が前記通信回線１４を介して通話相手である前記他の親機１６′へ送信される。そして、その制御信号を受信した前記他の親機１６′の側では、その制御信号に基づいて前記同期表示制御手段５２によるスライドショー表示制御の切替タイミングが変更され、それにより前記親機１６に対応するブロック１２と他の親機１６′に対応するブロックとの間で前記同期表示制御手段５２によるスライドショー表示制御の切替タイミングが一致させられる。
【００４４】
図１１は、前記親機１６の制御部２８によるその親機１６のメイン制御の要部を説明するフローチャートである。先ず、ステップ（以下、ステップを省略する）Ｓ１において、前記タッチパネル２４等を介しての利用者の通話開始入力操作又は前記通信回線１４を介しての所定の機器からの電話着信の待ち受け制御が行われる。次に、Ｓ２において、前記タッチパネル２４等を介しての利用者の通話開始入力操作又は前記通信回線１４を介しての所定の機器からの電話着信があったか否かが判断される。このＳ２の判断が否定される場合には、Ｓ３において、その他の処理が実行された後、Ｓ１以下の処理が再び実行されるが、Ｓ２の判断が肯定される場合には、Ｓ４において、前記第２通信部３６を介して前記通話子機２０との間で通信が行われ、その通話子機２０からの応答の待ち受け制御が行われる。
【００４５】
次に、Ｓ５において、前記通話子機２０による接続命令が受信されたか否かが判断される。このＳ５の判断が否定される場合には、そのＳ５の判断が繰り返されることにより待機させられるが、Ｓ５の判断が肯定される場合には、Ｓ６において、相手電話機すなわち前記他の親機１６′との間での通話に係る回線が接続され、前記ＬＡＮ２２を介して各表示子機１８へ通話開始メッセージが送信される。次に、Ｓ７において、通話相手である前記他の親機１６′とのデータ同期タイマの値が０とされる。次に、Ｓ８において、通話相手である前記他の親機１６′から所定の制御信号が受信されたか否かが判断される。このＳ８の判断が否定される場合には、Ｓ９において、前記ＬＡＮ２２を介して各表示子機１８への電波強度取得通知が行われ、図１２に示す電波強度取得＆データ転送処理ＳＡが実行された後、Ｓ１３以下の処理が実行されるが、Ｓ８の判断が肯定される場合には、Ｓ１０において、通話相手である前記他の親機１６′から受信された制御信号が、スライドショー表示制御の切替を遅延させるための停止信号であるか否かが判断される。このＳ１０の判断が肯定される場合には、Ｓ１１において、データ同期タイマのカウントが停止させられた後、Ｓ８以下の処理が再び実行されるが、Ｓ１０の判断が否定される場合には、Ｓ１２において、データ同期タイマのカウントが開始させられた後、Ｓ８以下の処理が再び実行される。
【００４６】
Ｓ１３においては、通話相手である前記他の親機１６′から回線切断信号が受信されたか否かが判断される。このＳ１３の判断が否定される場合には、Ｓ８以下の処理が再び実行されるが、Ｓ１３の判断が肯定される場合には、Ｓ１４において、通話相手である前記他の親機１６′との間の通話制御に係る回線が切断され、各表示子機１８へ通話終了信号が送信された後、Ｓ１以下の処理が再び実行される。以上の制御において、Ｓ１〜Ｓ６、Ｓ１３、及びＳ１４が前記通話制御手段５０の動作乃至通話制御過程に対応する。
【００４７】
図１２は、図１１の制御における電波強度取得＆データ転送処理の要部を説明するフローチャートである。この制御では、先ず、ＳＡ１において、全ての前記表示子機１８から電波強度が取得されたか否かが判断される。このＳＡ１の判断が否定される場合には、そのＳＡ１の判断が繰り返されることにより待機させられるが、ＳＡ１の判断が肯定される場合には、ＳＡ２において、前記距離比較部３８による電波強度の比較が実行される。次に、ＳＡ３において、ＳＡ２における電波強度の比較結果に基づいて、最も電波強度の高い端末は自機すなわち前記親機１６であるか否かが判断される。このＳＡ３の判断が否定される場合には、ＳＡ８以下の処理が実行されるが、ＳＡ３の判断が肯定される場合には、ＳＡ４において、自機すなわち前記親機１６以外の表示子機１８における表示をオフにするメッセージが各表示子機１８に送信された後、ＳＡ５において、データ同期タイマの値が０であるか否かが判断される。このＳＡ５の判断が否定される場合には、ＳＡ７以下の処理が実行されるが、ＳＡ５の判断が肯定される場合には、ＳＡ６において、データ同期タイマのカウントが開始され、ＳＡ７において、前記親機１６の表示装置４０においてスライドショー表示制御が実行された後、図１１に示す親機メイン制御に復帰させられる。
【００４８】
ＳＡ８においては、自機すなわち前記親機１６における表示装置４０の表示がオフとされる。次に、ＳＡ９において、ＳＡ２における電波強度の比較結果に基づいて、最も電波強度の高い端末は前記表示子機１８の何れかであるか否かが判断される。このＳＡ９の判断が否定される場合には、ＳＡ１４以下の処理が実行されるが、ＳＡ９の判断が肯定される場合には、ＳＡ１０において、最も電波強度が高いと判断された表示子機１８以外の表示子機１８における表示装置４０の表示をオフにするメッセージが各表示子機１８に送信された後、ＳＡ１１において、データ同期タイマの値が０であるか否かが判断される。このＳＡ１１の判断が肯定される場合には、ＳＡ１３以下の処理が実行されるが、ＳＡ１１の判断が否定される場合には、ＳＡ１２において、データ同期タイマのカウントが停止させられ、ＳＡ１３において、データ同期タイマの値とスライドショー表示制御を行うための情報が最も電波強度が高いと判断された表示子機１８に転送された後、図１１に示す親機メイン制御に復帰させられる。
【００４９】
ＳＡ１４においては、すべての表示子機１８における表示装置４０の表示をオフにするメッセージが各表示子機１８に送信された後、ＳＡ１５において、データ同期タイマの値が０であるか否かが判断される。このＳＡ１５の判断が肯定される場合には、ＳＡ１７以下の処理が実行されるが、ＳＡ１５の判断が否定される場合には、ＳＡ１６において、データ同期タイマのカウントが停止され、前記制御信号送信手段５８の動作に対応するＳＡ１７において、通話相手である前記他の親機１６′へ停止信号が送信された後、図１１に示す親機メイン制御に復帰させられる。以上の制御において、ＳＡ７及びＳＡ１３が前記同期表示制御手段５２の動作乃至同期表示制御過程に、ＳＡ３及びＳＡ９が前記判断手段５４の動作乃至判断過程に、ＳＡ４、ＳＡ８、ＳＡ１０、及びＳＡ１４が前記表示部切替手段５６の動作乃至表示部切替過程にそれぞれ対応する。
【００５０】
図１３は、前記表示子機１８の制御部６０によるその表示子機１８のメイン制御の要部を説明するフローチャートである。先ず、ＳＳ１において、前記親機１６から通話開始メッセージが受信されたか否かが判断される。このＳＳ１の判断が否定される場合には、そのＳＳ１の判断が繰り返されることにより待機させられるが、ＳＳ１の判断が肯定される場合には、ＳＳ２において、前記電波強度検出部６２により前記通話子機２０からの信号に対応する電波強度が検出（取得）される。次に、ＳＳ３において、前記親機１６から電波強度送信要求が受信されたか否かが判断される。このＳＳ３の判断が否定される場合には、ＳＳ２以下の処理が再び実行されるが、ＳＳ３の判断が肯定される場合には、ＳＳ４において、ＳＳ２にて取得された前記通話子機２０からの信号に対応する電波強度が前記親機１６へ送信される。次に、ＳＳ５において、前記親機１６からスライドショー表示制御に係るデータ送付、データ表示信号、表示終了信号、又は通話終了信号の待ち受け制御が行われる。次に、ＳＳ６において、前記親機１６から通話終了信号が受信されたか否かが判断される。このＳＳ６の判断が肯定される場合には、ＳＳ７において、前記電波強度検出部６２による電波強度取得が停止され、前記表示装置４０におけるスライドショー表示制御中であればその表示が停止させられた後、ＳＳ１以下の処理が再び実行されるが、ＳＳ６の判断が否定される場合には、ＳＳ８において、前記親機１６からスライドショー表示制御を行うためのデータ送信があったか否かが判断される。このＳＳ８の判断が肯定される場合には、ＳＳ９において、前記親機１６から受信されるデータに対応するスライドショーが前記表示装置４０に表示されるスライドショー表示制御が実行された後、ＳＳ２以下の処理が再び実行されるが、ＳＳ８の判断が否定される場合には、ＳＳ１０において、前記親機１６から表示開始信号が受信されたか否かが判断される。このＳＳ１０の判断が肯定される場合には、ＳＳ１１において、データ同期タイマの取得及び設定が行われ、取得済みのデータに係るスライドショーが前記表示装置４０に表示される制御が行われた後、ＳＳ２以下の処理が再び実行されるが、ＳＳ１０の判断が否定される場合には、ＳＳ１２において、前記表示装置４０の表示がオフとされた後、ＳＳ２以下の処理が再び実行される。
【００５１】
このように、本実施例によれば、所定の画像情報に基づく画像を表示させる表示装置４０を備えると共に所定の通信回線１４を介して他の機器との間で情報の通信を行う親機１６と、所定の画像情報に基づく画像を表示させる表示装置４０を備えると共に前記親機１６からの情報の受信が可能とされた単数乃至複数の表示子機１８と、前記親機１６による前記他の機器との間の通信に際して、その親機１６との間で音声情報の送受信を行う通話部としての第２通信部３６を備えた通話子機２０とを、備え、前記親機１６は、前記通信回線１４を介して他の前記親機１６′との間で音声情報の送受信を行う通話制御手段５０（Ｓ１〜Ｓ６、Ｓ１３、及びＳ１４）と、その通話制御手段５０による前記他の親機１６′との間での音声情報の送受信に際して、その他の親機１６′に対応する前記画像表示制御システム１０（ブロック１２）との間で同期して自機の表示装置４０及び／又は前記表示子機１８の表示装置４０に複数の画像を切替表示させるスライドショーの表示制御を行う同期表示制御手段５２（ＳＡ７及びＳＡ１３）とを、備えたものであり、前記通話子機２０と前記親機１６又は表示子機１８との間の相対距離に関して、前記親機１６及び単数乃至複数の前記表示子機１８のうち最も近くにある装置を判断する判断手段５４（ＳＡ３及びＳＡ９）と、その判断手段５４により前記通話子機２０の最も近くにあると判断された前記親機１６又は表示子機１８に備えられた前記表示装置４０に、前記同期表示制御手段５２によるスライドショーを表示させるように表示主体を切り替える表示部切替手段５６（ＳＡ４、ＳＡ８、ＳＡ１０、及びＳＡ１４）とを、備えた画像表示制御システム１０であることから、閲覧者が通話子機２０を携帯して移動する場合等において、最寄りの親機１６乃至表示子機１８に備えられた表示装置４０にスライドショーを表示できるため、そのスライドショーに係る画像の見逃し等の不具合を好適に抑制することができる。すなわち、複数のブロック１２の間で同期表示されるスライドショーの表示主体を好適に切り替える画像表示制御システム１０を提供することができる。
【００５２】
また、前記同期表示制御手段５２は、前記判断手段５４より前記相対距離が変化していると判断される場合には、前記スライドショーに係る複数の画像の切替タイミングを変更するものであるため、閲覧者が通話子機２０を携帯して移動する場合等において、親機１６乃至表示子機１８に備えられた表示装置４０に表示されるスライドショーの切替タイミングを遅らせる等の制御を行うことで、更に好適にそのスライドショーに係る画像の見逃し等の不具合を抑制することができる。
【００５３】
また、前記表示子機１８は、前記通話子機２０から送信される前記親機１６との間の音声情報の送受信に係るＤＥＣＴ信号を受信する信号受信部としての信号強度検出部６２を備え、前記判断手段５４は、前記表示子機１８に備えられた電波強度検出部６２乃至親機１６により受信される、前記通話子機２０から送信されるＤＥＣＴ信号の強度に基づいて前記相対距離を判断するものであるため、閲覧者が携帯する通話子機２０と、親機１６乃至表示子機１８との相対距離を実用的な態様で判断することができる。
【００５４】
また、前記通話子機２０は、無線により情報の通信が可能な無線タグ６６を備え、前記親機１６及び表示子機１８は、その無線タグ６６との間で無線により情報の通信を行う無線タグ通信装置を有する距離比較部３８及び電波強度検出部６２をそれぞれ備えたものであり、前記判断手段５４は、その無線タグ通信装置による前記無線タグ６６との間の通信結果に基づいて前記相対距離を判断するものであるため、閲覧者が携帯する通話子機２０と、親機１６乃至表示子機１８との相対距離を実用的な態様で判断することができる。
【００５５】
また、前記判断手段５４より前記相対距離が変化していると判断され、前記同期表示制御手段５２により前記スライドショーに係る複数の画像の切替タイミングが変更される場合には、前記通話制御手段５０による音声情報の送受信に係る前記他の親機１６′に対してその切替タイミングに係る制御信号を送信する制御信号送信手段５８（ＳＡ１７）を備えたものであるため、通話子機２０を携帯する閲覧者の移動等に応じて親機１６乃至表示子機１８に備えられた表示装置４０に表示されるスライドショーの切替タイミングを遅らせる等の制御が行われた場合において、その画像表示制御システム１０と同期的にそのスライドショーを表示させている他の画像表示制御システム（ブロック）において、その切替タイミングの変更を反映させることができる。
【００５６】
また、前記表示部切替手段５６は、前記親機１６及び単数乃至複数の表示子機１８すべての装置に対応して、前記親機１６との間の音声情報の送受信に係るＤＥＣＴ信号強度乃至前記無線タグ６６との間の通信に係る信号強度が予め定められた所定値以下となった場合には、前記表示主体の切り替えを停止するものであるため、通話子機２０を携帯する閲覧者が何れの表示装置４０におけるスライドショーも閲覧できない程度に離れた場合において、無駄な表示主体の切り替え制御が行われることを好適に抑制することができる。
【００５７】
また、前記判断手段５４は、前記親機１６の制御部２８に機能的に備えられたものであるため、実用的な態様の画像表示制御システム１０を構成することができる。
【００５８】
また、本実施例によれば、前記画像表示制御システム１０における親機１６と、前記表示子機１８とのコンビネーションにより構成される前記画像表示制御システム１０により、閲覧者が通話子機２０を携帯して移動する場合等において、最寄りの親機１６乃至表示子機１８に備えられた表示装置４０にスライドショーを表示できるため、そのスライドショーに係る画像の見逃し等の不具合を好適に抑制することができる。
【００５９】
また、本実施例によれば、前記親機１６により、前記通信回線１４を介して他の前記親機１６′との間で音声情報の送受信を行う通話制御過程（Ｓ１〜Ｓ６、Ｓ１３、及びＳ１４）と、その通話制御過程における前記他の親機１６′との間での音声情報の送受信に際して、その他の親機１６′に対応する前記画像表示制御システム１０との間で同期して自機の表示装置４０及び／又は前記表示子機１８の表示装置４０に複数の画像を切替表示させるスライドショーの表示制御を行う同期表示制御過程（ＳＡ７及びＳＡ１３）と、前記通話子機２０と前記親機１６又は表示子機１８との間の相対距離に関して、前記親機１６及び単数乃至複数の前記表示子機１８のうち最も近くにある装置を判断する判断過程（ＳＡ３及びＳＡ９）と、その判断過程において前記通話子機２０の最も近くにあると判断された前記親機１６又は表示子機１８に備えられた前記表示装置４０に、前記同期表示制御過程におけるスライドショーを表示させるように表示主体を切り替える表示部切替過程（ＳＡ４、ＳＡ８、ＳＡ１０、及びＳＡ１４）とを、含むことから、閲覧者が通話子機２０を携帯して移動する場合等において、最寄りの親機１６乃至表示子機１８に備えられた表示装置４０にスライドショーを表示できるため、そのスライドショーに係る画像の見逃し等の不具合を好適に抑制することができる。すなわち、複数のブロック１２の間で同期表示されるスライドショーの表示主体を好適に切り替える画像表示制御方法を提供することができる。
【００６０】
また、本実施例によれば、前記画像表示制御システム１０における親機１６に備えられた制御部２８を、前記通信回線１４を介して他の前記親機１６′との間で音声情報の送受信を行う通話制御手段５０、その通話制御手段５０による前記他の親機１６′との間での音声情報の送受信に際して、その他の親機１６′に対応する前記画像表示制御システム１０との間で同期して自機の表示装置４０及び／又は前記表示子機１８の表示装置４０に複数の画像を切替表示させるスライドショーの表示制御を行う同期表示制御手段５２、前記通話子機２０と前記親機１６又は表示子機１８との間の相対距離に関して、前記親機１６及び単数乃至複数の前記表示子機１８のうち最も近くにある装置を判断する判断手段５４、及びその判断手段５４により前記通話子機２０の最も近くにあると判断された前記親機１６又は表示子機１８に備えられた前記表示装置４０に、前記同期表示制御手段５２によるスライドショーを表示させるように表示主体を切り替える表示部切替手段５６として機能させることを特徴とする画像表示制御プログラムであることから、閲覧者が通話子機２０を携帯して移動する場合等において、最寄りの親機１６乃至表示子機１８に備えられた表示部にスライドショーを表示できるため、そのスライドショーに係る画像の見逃し等の不具合を好適に抑制することができる。すなわち、複数のブロック１２の間で同期表示されるスライドショーの表示主体を好適に切り替える画像表示制御プログラムを提供することができる。
【００６１】
以上、本発明の好適な実施例を図面に基づいて詳細に説明したが、本発明はこれに限定されるものではなく、更に別の態様においても実施される。
【００６２】
例えば、前述の実施例では、前記通話制御手段５０、同期表示制御手段５２、判断手段５４、及び表示部切替手段５６等の制御機能が何れも前記親機１６の制御部２８に機能的に備えられたものであったが、本発明はこれに限定されるものではなく、例えば、前記判断手段５４及び表示部切替手段５６の一方乃至両方が前記親機１６とは異なる他の制御装置に機能的に備えられ、その制御装置によって前記親機１６及び表示子機１８等が統括的に制御されるものであってもよい。また、前記親機１６及び表示装置１８等において、前記タッチパネルディスプレイ２６の表示制御乃至入力情報処理を行う表示制御部４４及び入力制御部４６が前記制御部２８、６０とは別体の制御部として備えられたものであったが、これらはその一方乃至両方が前記制御部２８、６０に機能的に備えられたものであってもよい。
【００６３】
また、前述の実施例において、前記親機１６及び表示子機１８は、何れも前記表示装置４０及びタッチパネル４２から成るタッチパネルディスプレイ２６を備えたものであったが、例えば所定の画像情報に基づく画像を表示させる表示部と簡易な操作部とを備えたものであってもよく、必ずしもタッチパネルディスプレイ２６を備えたものでなくともよい。
【００６４】
また、前述の実施例において、前記画像表示制御システム１０は、前記親機１６と表示子機１８との間の情報通信に係るＬＡＮ２２乃至そのＬＡＮ２２に対応する構成である第１通信部３４と、前記親機１６及び通話子機２０によるコードレス電話通信に係るＤＥＣＴ通信網２４乃至そのＤＥＣＴ通信網２４に対応する構成である第２通信部３６とを、それぞれ個別に備えたものであったが、例えば前記親機１６によりインターネット電話等により他の機器との間で電話通信を行う態様においては、それらは統合的な情報通信システム乃至その情報通信システムに対応するインターフェイスとして設けられたものであってもよい。
【００６５】
その他、一々例示はしないが、本発明はその趣旨を逸脱しない範囲内において種々の変更が加えられて実施されるものである。
【符号の説明】
【００６６】
１０：画像表示制御システム
１４：通信回線
１６：親機
１８：表示子機
２０：通話子機
３６：第２通信部（通話部）
３８：距離比較部（無線タグ通信装置）
４０：表示装置（表示部）
５０：通話制御手段
５２：同期表示制御手段
５４：判断手段
５６：表示部切替手段
５８：制御信号送信手段
６２：電波強度検出部（信号受信部、無線タグ通信装置）
６６：無線タグ
【図１】
2011071916.tif 000003
【図２】
2011071916.tif 000004
【図３】
2011071916.tif 000005
【図４】
2011071916.tif 000006
【図５】
2011071916.tif 000007
【図６】
2011071916.tif 000008
【図７】
2011071916.tif 000009
【図８】
2011071916.tif 000010
【図９】
2011071916.tif 000011
【図１０】
2011071916.tif 000012
【図１１】
2011071916.tif 000013
【図１２】
2011071916.tif 000014
【図１３】
2011071916.tif 000015